(57)【要約】【課題】肌の見え方をより好適に向上させることができる照明装置を提供する。【解決手段】照光部は、半値幅が３０ｎｍで波長４５５ｎｍにピークを有して青色光を放射するＬＥＤ素子と、半値幅が１３０ｎｍで波長５５０ｎｍにピークを有する蛍光体と、半値幅が９５ｎｍで波長６４０ｎｍにピークを有する蛍光体とを備える。照光部は、波長４５５ｎｍにピークを有する青色光の出力値を１００％とした場合、波長５００ｎｍの光の出力値が略５５％、波長５５０ｎｍの光の出力値が略７０％、波長６００ｎｍの光の出力値が略８７％、波長６４０ｎｍでの光の出力値が略７８％となるように構成する。照光部は、波長６００ｎｍの光の出力値に対する波長６４０ｎｍの光の出力値が８５〜１１０％の範囲内である略９０％、波長５５０ｎｍの光の出力値に対する波長６４０ｎｍの光の出力値が９５〜１３５％の範囲内である略１１１％となるように構成する。【選択図】図２
2013058473.tif 000002
【特許請求の範囲】
【請求項１】
発光素子及び該発光素子からの光で励起されて異なる波長の光を放射する蛍光体を有する照光部にて光を照射する照明装置であって、
前記照光部は、
波長４４０〜４６５ｎｍの範囲における発光ピークの光の出力値を１００％とした場合に、波長５００ｎｍでの光の出力値が３５〜５５％の範囲、波長５５０ｎｍでの光の出力値が４５〜８０％の範囲、波長６００ｎｍでの光の出力値が４５〜７５％の範囲、波長６４０ｎｍでの光の出力値が５０〜８０％の範囲であり、
波長６００ｎｍの光の出力値に対する波長６４０ｎｍの光の出力値が１００〜１２０％の範囲であり、波長５５０ｎｍの光の出力値に対する波長６４０ｎｍの光の出力値が８５〜１３０％の範囲であり、４５００〜５５００Ｋの色温度の光を照射することを特徴とする照明装置。
【請求項２】
発光素子及び該発光素子からの光で励起されて異なる波長の光を放射する蛍光体を有する照光部にて光を照射する照明装置であって、
前記照光部は、
波長４４０〜４６５ｎｍの範囲における発光ピークの光の出力値を１００％とした場合に、波長５００ｎｍでの光の出力値が４５〜７０％の範囲、波長５５０ｎｍでの光の出力値が６０〜１０５％の範囲、波長６００ｎｍでの光の出力値が７０〜１２０％の範囲、波長６４０ｎｍでの光の出力値が７５〜１２５％の範囲であり、
波長６００ｎｍの光の出力値に対する波長６４０ｎｍの光の出力値が８５〜１１０％の範囲であり、波長５５０ｎｍの光の出力値に対する波長６４０ｎｍの光の出力値が９５〜１３５％の範囲であり、３５００〜４５００Ｋの色温度の光を照射することを特徴とする照明装置。
【請求項３】
発光素子及び該発光素子からの光で励起されて異なる波長の光を放射する蛍光体を有する照光部にて光を照射する照明装置であって、
前記照光部は、
波長４４０〜４６５ｎｍの範囲における発光ピークの光の出力値を１００％とした場合に、波長５００ｎｍでの光の出力値が４０〜６５％の範囲、波長５５０ｎｍでの光の出力値が６０〜１２５％の範囲、波長６００ｎｍでの光の出力値が８０〜１４５％の範囲、波長６４０ｎｍでの光の出力値が８５〜１５５％の範囲であり、
波長６００ｎｍの光の出力値に対する波長６４０ｎｍの光の出力値が１００〜１２０％の範囲であり、波長５５０ｎｍの光の出力値に対する波長６４０ｎｍの光の出力値が１１０〜１６０％の範囲であり、３０００〜４０００Ｋの色温度の光を照射することを特徴とする照明装置。
【請求項４】
発光素子及び該発光素子からの光で励起されて異なる波長の光を放射する蛍光体を有する照光部にて光を照射する照明装置であって、
前記照光部は、
波長４４０〜４６５ｎｍの範囲における発光ピークの光の出力値を１００％とした場合に、波長５００ｎｍでの光の出力値が４５〜８０％の範囲、波長５５０ｎｍでの光の出力値が８０〜１６０％の範囲、波長６００ｎｍでの光の出力値が１１５〜２２０％の範囲、波長６４０ｎｍでの光の出力値が１３０〜２５０％の範囲であり、
波長６００ｎｍの光の出力値に対する波長６４０ｎｍの光の出力値が１００〜１２５％の範囲であり、波長５５０ｎｍの光の出力値に対する波長６４０ｎｍの光の出力値が１３５〜１８５％の範囲であり、２５００〜３５００Ｋの色温度の光を照射することを特徴とする照明装置。
【発明の詳細な説明】
【技術分野】
【０００１】
本発明は、照明装置に関するものである。
【背景技術】
【０００２】
ＬＥＤ素子等を備えた種々の照明装置では、高効率を重視したものが知られている。このように、高効率を重視した照明装置では、装置の発光効率はよいが、演色性が低く照明装置の光が到達した物や人の肌の色の見え方が忠実でない虞がある。
【０００３】
そこで、高演色性を重視した照明装置として、特許文献１に開示されているように、物や人の肌の色の見え方を忠実させるべく例えば平均演色評価数Ｒａと特殊演色評価数Ｎｏ．１５（Ｒ１５）とを考慮したものがある。
【先行技術文献】
【特許文献】
【０００４】
【特許文献１】特開２０１０−１７６９９２号公報
【発明の概要】
【発明が解決しようとする課題】
【０００５】
ところで、上記のような照明装置では、平均演色評価数Ｒａと特殊演色評価数Ｎｏ．１５（Ｒ１５）とを高めて人の肌等の色の見え方がより忠実になるような（演色性の高い）構成とされている。しかしながら、近年では忠実に肌色が見えることに加えて、好ましい肌色であるように見える照明装置の開発が望まれている。
【０００６】
本発明は、上記課題を解決するためになされたものであって、その目的は、肌の見え方をより好適に向上させることができる照明装置を提供することにある。
【課題を解決するための手段】
【０００７】
上記課題を解決するために、照明装置は、発光素子及び該発光素子からの光で励起されて異なる波長の光を放射する蛍光体を有する照光部にて光を照射する照明装置であって、前記照光部は、波長４４０〜４６５ｎｍの範囲における発光ピークの光の出力値を１００％とした場合に、波長５００ｎｍでの光の出力値が３５〜５５％の範囲、波長５５０ｎｍでの光の出力値が４５〜８０％の範囲、波長６００ｎｍでの光の出力値が４５〜７５％の範囲、波長６４０ｎｍでの光の出力値が５０〜８０％の範囲であり、波長６００ｎｍの光の出力値に対する波長６４０ｎｍの光の出力値が１００〜１２０％の範囲であり、波長５５０ｎｍの光の出力値に対する波長６４０ｎｍの光の出力値が８５〜１３０％の範囲であり、４５００〜５５００Ｋの色温度の光を照射することを特徴とする。
【０００８】
また、照明装置は、発光素子及び該発光素子からの光で励起されて異なる波長の光を放射する蛍光体を有する照光部にて光を照射する照明装置であって、前記照光部は、波長４４０〜４６５ｎｍの範囲における発光ピークの光の出力値を１００％とした場合に、波長５００ｎｍでの光の出力値が４５〜７０％の範囲、波長５５０ｎｍでの光の出力値が６０〜１０５％の範囲、波長６００ｎｍでの光の出力値が７０〜１２０％の範囲、波長６４０ｎｍでの光の出力値が７５〜１２５％の範囲であり、波長６００ｎｍの光の出力値に対する波長６４０ｎｍの光の出力値が８５〜１１０％の範囲であり、波長５５０ｎｍの光の出力値に対する波長６４０ｎｍの光の出力値が９５〜１３５％の範囲であり、３５００〜４５００Ｋの色温度の光を照射することを特徴とする。
【０００９】
また、照明装置は、発光素子及び該発光素子からの光で励起されて異なる波長の光を放射する蛍光体を有する照光部にて光を照射する照明装置であって、前記照光部は、波長４４０〜４６５ｎｍの範囲における発光ピークの光の出力値を１００％とした場合に、波長５００ｎｍでの光の出力値が４０〜６５％の範囲、波長５５０ｎｍでの光の出力値が６０〜１２５％の範囲、波長６００ｎｍでの光の出力値が８０〜１４５％の範囲、波長６４０ｎｍでの光の出力値が８５〜１５５％の範囲であり、波長６００ｎｍの光の出力値に対する波長６４０ｎｍの光の出力値が１００〜１２０％の範囲であり、波長５５０ｎｍの光の出力値に対する波長６４０ｎｍの光の出力値が１１０〜１６０％の範囲であり、３０００〜４０００Ｋの色温度の光を照射することを特徴とする。
【００１０】
また、照明装置は、発光素子及び該発光素子からの光で励起されて異なる波長の光を放射する蛍光体を有する照光部にて光を照射する照明装置であって、前記照光部は、波長４４０〜４６５ｎｍの範囲における発光ピークの光の出力値を１００％とした場合に、波長５００ｎｍでの光の出力値が４５〜８０％の範囲、波長５５０ｎｍでの光の出力値が８０〜１６０％の範囲、波長６００ｎｍでの光の出力値が１１５〜２２０％の範囲、波長６４０ｎｍでの光の出力値が１３０〜２５０％の範囲であり、波長６００ｎｍの光の出力値に対する波長６４０ｎｍの光の出力値が１００〜１２５％の範囲であり、波長５５０ｎｍの光の出力値に対する波長６４０ｎｍの光の出力値が１３５〜１８５％の範囲であり、２５００〜３５００Ｋの色温度の光を照射することを特徴とする。
【発明の効果】
【００１１】
本発明によれば、照明装置は、肌の見え方をより好適に向上させることができる。
【図面の簡単な説明】
【００１２】
【図１】実施形態の照明装置の概略構成図である。
【図２】照光部の光の出力値特性の一例について説明するための波形図である。
【図３】各単色光の特性変更による影響度について説明するための説明図である。
【図４】合成白色光の各波長における出力値変更による影響度について説明するための説明図である。
【図５】照光部の光の出力値特性の一例について説明するための波形図である。
【図６】照光部の光の出力値特性の一例について説明するための波形図である。
【図７】照光部の光の出力値特性の一例について説明するための波形図である。
【図８】照光部の光の出力値特性の一例について説明するための波形図である。
【図９】合成白色光の各波長における出力値変更による影響度について説明するための説明図である。
【発明を実施するための形態】
【００１３】
以下、照明装置の一実施形態を図面に従って説明する。
図１に示すように、本実施形態の照明装置１０は、光を外部に照射する照光部１１と、この照光部１１を点灯させるための点灯回路１２とを備えている。
【００１４】
図１に示すように、照光部１１は、前記点灯回路１２と電気的に接続されるＬＥＤ素子２１と、このＬＥＤ素子２１の発光面を覆うとともにそのＬＥＤ素子２１からの光で励起されて異なる波長の光を放射する複数の蛍光体２２，２３とで構成される。そして、点灯回路１２からの電力供給に基づいて、照光部１１は、略白色の光を発するようになっている。
【００１５】
次に、照明装置１０の照光部１１について詳細に説明する。
本発明者は、照光部１１からの光が白色光として中間的な４２００Ｋとほぼ同色と見なせる範囲か否か、さらに人の肌の色を好ましく見せる指標となる日本人女性の肌色の好ましさ指数ＰＳ（矢野正らが提唱）を考慮して照光部１１を構成している。具体的には本発明者は、次の試験Ａ及び試験Ｂを行った。
【００１６】
（試験Ａ）
青色光を発するＬＥＤ素子２１のピーク波長、及び各蛍光体２２，２３のピーク波長や半値幅を適宜変更して、照光部１１からの光が、色温度４２００Ｋで色偏差（黒体放射軌跡からのずれ）を表すＤｕｖが−５の光と比較してほぼ同色か否かを選定する。その選定方法については、ＭａｃＡｄａｍにより定義された色度楕円に基づきＩＥＣ（国際電気標準会議）が各種光源色の色度許容範囲として認めている５ＳＤＣＭ（5 Standard Deviation of Color Matching）や４ＳＤＣＭなどを用いて行うことが望ましい。但し、その選定方法については特に問わない。
【００１７】
また、青色光を発するＬＥＤ素子２１のピーク波長、及び各蛍光体２２，２３のピーク波長や半値幅を適宜変更して、照光部１１からの光について、肌色の好ましさ指数であるＰＳ値を算出している。ちなみに、ＰＳ値の算出方法としては、例えば特開平１１―２５８０４７号公報に開示されているように、肌色の好ましさに関する算出評価値Ｐを求めた後に、４×５Ｐから肌色の好ましさ指数ＰＳを算出することができる。
【００１８】
そして、照光部１１からの光色が色温度４２００Ｋで色偏差（黒体放射軌跡からのずれ）を表すＤｕｖが−５の光色とほぼ同じ、つまり白色光で、ＰＳ値が比較的高いものは、図３にも示すように次の通りである。
【００１９】
（条件Ａ１）青色光のピーク波長が４４０ｎｍ、緑色光のピーク波長が５５０ｎｍで半値幅が１３０ｎｍ、赤色光のピーク波長が６４０ｎｍで半値幅が９５ｎｍである。
（条件Ａ２）青色光のピーク波長が４５５ｎｍ、緑色光のピーク波長が５４５ｎｍで半値幅が１３０ｎｍ、赤色光のピーク波長が６４０ｎｍで半値幅が９５ｎｍである。
【００２０】
（条件Ａ３）青色光のピーク波長が４５５ｎｍ、緑色光のピーク波長が５５０ｎｍで半値幅が１１０ｎｍ、赤色光のピーク波長が６４０ｎｍで半値幅が９５ｎｍである。
（条件Ａ４）青色光のピーク波長が４５５ｎｍ、緑色光のピーク波長が５５０ｎｍで半値幅が１３０ｎｍ、赤色光のピーク波長が６３０ｎｍで半値幅が９５ｎｍである。
【００２１】
（条件Ａ５）青色光のピーク波長が４５５ｎｍ、緑色光のピーク波長が５５０ｎｍで半値幅が１３０ｎｍ、赤色光のピーク波長が６４０ｎｍで半値幅が８０ｎｍである。
（条件Ａ６）青色光のピーク波長が４５５ｎｍ、緑色光のピーク波長が５５０ｎｍで半値幅が１３０ｎｍ、赤色光のピーク波長が６４０ｎｍで半値幅が９５ｎｍである。
【００２２】
（条件Ａ７）青色光のピーク波長が４５５ｎｍ、緑色光のピーク波長が５５０ｎｍで半値幅が１３０ｎｍ、赤色光のピーク波長が６４０ｎｍで半値幅が１１０ｎｍである。
（条件Ａ８）青色光のピーク波長が４５５ｎｍ、緑色光のピーク波長が５５０ｎｍで半値幅が１３０ｎｍ、赤色光のピーク波長が６５０ｎｍで半値幅が９５ｎｍである。
【００２３】
（条件Ａ９）青色光のピーク波長が４５５ｎｍ、緑色光のピーク波長が５５０ｎｍで半値幅が１５０ｎｍ、赤色光のピーク波長が６４０ｎｍで半値幅が９５ｎｍである。
（条件Ａ１０）青色光のピーク波長が４５５ｎｍ、緑色光のピーク波長が５５５ｎｍで半値幅が１３０ｎｍ、赤色光のピーク波長が６４０ｎｍで半値幅が９５ｎｍである。
【００２４】
（条件Ａ１１）青色光のピーク波長が４６５ｎｍ、緑色光のピーク波長が５５０ｎｍで半値幅が１３０ｎｍ、赤色光のピーク波長が６４０ｎｍで半値幅が９５ｎｍである。
上記各条件から、次の要件を導き出すことができる。即ち、青色光は波長が４４０〜４６５ｎｍの範囲にピーク波長を有する。さらに緑色光は半値幅が１１０〜１５０ｎｍの範囲で波長が５４５〜５５５ｎｍの範囲にピーク波長を有する。加えて、赤色光は半値幅が８０〜１１０ｎｍの範囲で波長が６３０〜６５０ｎｍの範囲にピーク波長を有する。
【００２５】
（試験Ｂ）
また、ＬＥＤ素子２１及び蛍光体２２，２３からなる照光部１１の光のうちの３つの波長を適宜変更して、照光部１１からの光が、色温度４２００Ｋで色偏差（黒体放射軌跡からのずれ）を表すＤｕｖが−５の光と比較してほぼ同色か否かを選定する。そして、ＬＥＤ素子２１及び蛍光体２２，２３からなる照光部１１の光のうちの３つの波長を適宜変更して、照光部１１からの光について、肌色の好ましさ指数であるＰＳ値を算出している。
【００２６】
そして、照光部１１からの光色が色温度４２００Ｋで色偏差（黒体放射軌跡からのずれ）を表すＤｕｖが−５の光色とほぼ同じ、つまり白色光で、ＰＳ値が比較的高いものは、図４にも示すように次の通りである。なお、３つの波長である波長４９０ｎｍ、波長５３０ｎｍ及び波長６３０ｎｍにおける出力値は、青色光である波長４４０〜４６５ｎｍ間の出力値を１００％とした場合での比率を表している。
【００２７】
（条件Ｂ１）波長４９０ｎｍの比率が４６％、波長５３０ｎｍの比率が５９％、波長６３０ｎｍの比率が７５％で、波長５３０ｎｍの出力値に対する波長６３０ｎｍの出力値の比が８０％である。
【００２８】
（条件Ｂ２）波長４９０ｎｍの比率が４７％、波長５３０ｎｍの比率が６２％、波長６３０ｎｍの比率が７９％で、波長５３０ｎｍの出力値に対する波長６３０ｎｍの出力値の比が７９％である。
【００２９】
（条件Ｂ３）波長４９０ｎｍの比率が４８％、波長５３０ｎｍの比率が６２％、波長６３０ｎｍの比率が８５％で、波長５３０ｎｍの出力値に対する波長６３０ｎｍの出力値の比が７３％である。
【００３０】
（条件Ｂ４）波長４９０ｎｍの比率が４９％、波長５３０ｎｍの比率が６５％、波長６３０ｎｍの比率が８２％で、波長５３０ｎｍの出力値に対する波長６３０ｎｍの出力値の比が７９％である。
【００３１】
（条件Ｂ５）波長４９０ｎｍの比率が４９％、波長５３０ｎｍの比率が６５％、波長６３０ｎｍの比率が８６％で、波長５３０ｎｍの出力値に対する波長６３０ｎｍの出力値の比が７６％である。
【００３２】
（条件Ｂ６）波長４９０ｎｍの比率が４９％、波長５３０ｎｍの比率が６５％、波長６３０ｎｍの比率が８９％で、波長５３０ｎｍの出力値に対する波長６３０ｎｍの出力値の比が７３％である。
【００３３】
（条件Ｂ７）波長４９０ｎｍの比率が５１％、波長５３０ｎｍの比率が６８％、波長６３０ｎｍの比率が８０％で、波長５３０ｎｍの出力値に対する波長６３０ｎｍの出力値の比が８６％である。
【００３４】
（条件Ｂ８）波長４９０ｎｍの比率が５１％、波長５３０ｎｍの比率が６８％、波長６３０ｎｍの比率が８３％で、波長５３０ｎｍの出力値に対する波長６３０ｎｍの出力値の比が８２％である。
【００３５】
（条件Ｂ９）波長４９０ｎｍの比率が５１％、波長５３０ｎｍの比率が６８％、波長６３０ｎｍの比率が８６％で、波長５３０ｎｍの出力値に対する波長６３０ｎｍの出力値の比が７９％である。
【００３６】
（条件Ｂ１０）波長４９０ｎｍの比率が５１％、波長５３０ｎｍの比率が６８％、波長６３０ｎｍの比率が９０％で、波長５３０ｎｍの出力値に対する波長６３０ｎｍの出力値の比が７６％である。
【００３７】
（条件Ｂ１１）波長４９０ｎｍの比率が５１％、波長５３０ｎｍの比率が６８％、波長６３０ｎｍの比率が９３％で、波長５３０ｎｍの出力値に対する波長６３０ｎｍの出力値の比が７４％である。
【００３８】
（条件Ｂ１２）波長４９０ｎｍの比率が５３％、波長５３０ｎｍの比率が７１％、波長６３０ｎｍの比率が８４％で、波長５３０ｎｍの出力値に対する波長６３０ｎｍの出力値の比が８５％である。
【００３９】
（条件Ｂ１３）波長４９０ｎｍの比率が５３％、波長５３０ｎｍの比率が７１％、波長６３０ｎｍの比率が８７％で、波長５３０ｎｍの出力値に対する波長６３０ｎｍの出力値の比が８２％である。
【００４０】
（条件Ｂ１４）波長４９０ｎｍの比率が５３％、波長５３０ｎｍの比率が７１％、波長６３０ｎｍの比率が９０％で、波長５３０ｎｍの出力値に対する波長６３０ｎｍの出力値の比が７９％である。
【００４１】
（条件Ｂ１５）波長４９０ｎｍの比率が５４％、波長５３０ｎｍの比率が７４％、波長６３０ｎｍの比率が８７％で、波長５３０ｎｍの出力値に対する波長６３０ｎｍの出力値の比が８５％である。
【００４２】
（条件Ｂ１６）波長４９０ｎｍの比率が５４％、波長５３０ｎｍの比率が７４％、波長６３０ｎｍの比率が９４％で、波長５３０ｎｍの出力値に対する波長６３０ｎｍの出力値の比が７９％である。
【００４３】
（条件Ｂ１７）波長４９０ｎｍの比率が５６％、波長５３０ｎｍの比率が７７％、波長６３０ｎｍの比率が９８％で、波長５３０ｎｍの出力値に対する波長６３０ｎｍの出力値の比が７９％である。
【００４４】
ここで、上記各条件Ｂ１〜Ｂ１７における照光部１１は、いずれも次の条件を満たしている。
（共通条件）波長４４０〜４６５ｎｍの範囲における発光ピークの光の出力値を１００％とした場合に、波長５００ｎｍでの光の出力値が４５〜７０％の範囲、波長５５０ｎｍでの光の出力値が６０〜１０５％の範囲、波長６００ｎｍでの光の出力値が７０〜１２０％の範囲、波長６４０ｎｍでの光の出力値が７５〜１２５％の範囲とされる。さらに、波長６００ｎｍの光の出力値に対する波長６４０ｎｍの光の出力値が８５〜１１０％であり、波長５５０ｎｍの光の出力値に対する波長６４０ｎｍの光の出力値が９５〜１３５％である。
【００４５】
上記の試験Ａ及び試験Ｂを経て導き出した要件を基に、本実施形態では、例えば図２に示すような出力特性を有するように照光部１１を構成している。
具体的には、照光部１１を構成するＬＥＤ素子２１は、発光中心波長（ピーク波長）が４５５ｎｍであり、半値幅が３０ｎｍの青色光を放射するＬＥＤ素子を採用している。また、照光部１１を構成する蛍光体２２，２３は、ＬＥＤ素子２１からの光を受けて緑色光を放射する蛍光体２２と、ＬＥＤ素子２１からの光を受けて赤色光を放射する蛍光体２３とで構成される。緑色光を放射する蛍光体２２は、半値幅が１３０ｎｍであり、波長５５０ｎｍにピークを有する緑色光を放射するセリウム付活カルシウムスカンデート（ＣａＳｃ２Ｏ４：Ｃｅ）で構成する。赤色光を放射する蛍光体２３は、半値幅が９５ｎｍであり、波長６４０ｎｍにピークを有するユーロピウム付活カルシウムアルミニウムシリコンナイトライド（ＣａＡｌＳｉＮ３：Ｅｕ）と、ユーロピウム付活ストロンチウムカルシウムアルミニウムシリコンナイトライド（（Ｓｒ，Ｃａ）ＡｌＳｉＮ３：Ｅｕ）の混合物で構成する。
【００４６】
また、緑色光を放射する蛍光体２２と赤色光を放射する蛍光体２３とは、その重量比が１００対２３となるように混合してシリコン樹脂中に分散させて一体成形している。
そして、照光部１１は、ＬＥＤ素子２１及び蛍光体２２，２３からの光が、波長４５５ｎｍにピークを有する青色光の出力値を１００％とした場合、波長５００ｎｍの光の出力値が略５５％、波長５５０ｎｍの光の出力値が略７０％、波長６００ｎｍの光の出力値が略８７％、波長６４０ｎｍでの光の出力値が略７８％となるように構成する。照光部１１は、波長６００ｎｍの光の出力値に対する波長６４０ｎｍの光の出力値が８５〜１１０％の範囲内である略９０％、波長５５０ｎｍの光の出力値に対する波長６４０ｎｍの光の出力値が９５〜１３５％の範囲内である略１１１％となるように構成する。
【００４７】
次に、本実施形態の作用（動作例）について説明する。
本実施形態の照明装置１０では、点灯回路１２を介して照光部１１を構成するＬＥＤ素子２１から青色光が発せられるとともに、この光の一部が各蛍光体２２，２３で吸収されて長波長側の光（赤色光や緑色光）を放射する。そして、照光部１１は、青色光、緑色光、赤色光が組み合わされて色温度が約４２００ＫでＤｕｖが−５の白色光を照射する。このとき、照射された光は肌色の好ましさ指数ＰＳが９５を示す。
【００４８】
次に、本実施形態の特徴的な効果を記載する。
（１）半値幅が３０ｎｍで波長４５５ｎｍにピークを有して青色光を放射するＬＥＤ素子２１と、半値幅が１３０ｎｍで波長５５０ｎｍにピークを有する蛍光体２２と、半値幅が９５ｎｍで波長６４０ｎｍにピークを有する蛍光体２３とを備える。また、照光部１１は、波長４５５ｎｍにピークを有する青色光の出力値を１００％とした場合、波長５００ｎｍの光の出力値が略５５％、波長５５０ｎｍの光の出力値が略７０％、波長６００ｎｍの光の出力値が略８７％、波長６４０ｎｍでの光の出力値が略７８％となるように構成する。照光部１１は、波長６００ｎｍの光の出力値に対する波長６４０ｎｍの光の出力値が８５〜１１０％の範囲内である略９０％、波長５５０ｎｍの光の出力値に対する波長６４０ｎｍの光の出力値が９５〜１３５％の範囲内である略１１１％となるように構成する。このような構成により、色温度が約４２００Ｋで色偏差Ｄｕｖが−５、肌色の好ましさ指数ＰＳが９５の光を実現することができ、商業施設等で多く用いられる温白色光源において、人の肌を好ましく見せることができる。また、肌が好ましく見えることで、女性はより美しく見えるとともに高齢者や患者等には健康そうに見えるため、自身や互いの元気付けとなり、気分を高めることができる。また、照明装置１０をスタジオや舞台に用いれば、被写体となる人物の肌がより好ましく見え、より美しく撮影することも可能である。
【００４９】
（２）緑色光を放射する蛍光体２２は、セリウム付活カルシウムスカンデートで構成されるため、環境負荷（温度、湿度）による経時変化が少ないため、蛍光体２２の耐久性を高めて安定的に人の肌を好ましく見せることが可能となる。
【００５０】
（３）赤色光を放射する蛍光体２３は、ユーロピウム付活カルシウムアルミニウムシリコンナイトライドとユーロピウム付活ストロンチウムカルシウムアルミニウムシリコンナイトライドとを混合物して構成する。ここで、ユーロピウム付活カルシウムアルミニウムシリコンナイトライド及びユーロピウム付活ストロンチウムカルシウムアルミニウムシリコンナイトライドは、環境負荷（温度、湿度）による経時変化が少ない。このため、このような材料を用いることで蛍光体２３の耐久性を高めてより安定的に人の肌を好ましく見せることが可能となる。
【００５１】
（４）緑色光を放射する蛍光体２２の重量に対する赤色光を放射する蛍光体２３の重量が２３％となるように組み合わせることにより、色温度が４２００Ｋ、Ｄｕｖが−５、肌色の好ましさ指数ＰＳが９５の光を放射する高効率な照明装置１０を安定的に実現することが可能となる。
【００５２】
（５）また、ＬＥＤ素子２１を用いているため、光源に蛍光体や白熱電球を用いた場合と比較して、省エネルギー化を図ることができる。
尚、本発明の実施形態は、以下のように変更してもよい。
【００５３】
・上記実施形態では、照射される光の色温度が略４２００Ｋとなるように照光部１１を構成したが、これに限らない。
例えば、照光部１１において４５００〜５５００Ｋの色温度の光を照射する場合、その中央値の５０００Ｋの光で検討する。検討に関する条件又は比較例については図９にも示すように、次の通りである。
【００５４】
（条件Ｃ１）波長４４０〜４６５ｎｍの範囲における発光ピークの光の出力値を１００％とした場合に、波長５００ｎｍでの光の出力値が５０％、波長５５０ｎｍでの光の出力値が７０％である。波長４４０〜４６５ｎｍの範囲における発光ピークの光の出力値を１００％とした場合に、波長６００ｎｍでの光の出力値が６６％、波長６４０ｎｍでの光の出力値が６９％である。さらに、波長６００ｎｍの光の出力値に対する波長６４０ｎｍの光の出力値が１０４％であり、波長５５０ｎｍの光の出力値に対する波長６４０ｎｍの光の出力値が９８％である。なお、この分光分布図を図５に示す。
【００５５】
（比較例Ｃ２）波長４４０〜４６５ｎｍの範囲における発光ピークの光の出力値を１００％とした場合に、波長５００ｎｍでの光の出力値が１６％、波長５５０ｎｍでの光の出力値が７７％である。波長４４０〜４６５ｎｍの範囲における発光ピークの光の出力値を１００％とした場合に、波長６００ｎｍでの光の出力値が６３％、波長６４０ｎｍでの光の出力値が３６％である。さらに、波長６００ｎｍの光の出力値に対する波長６４０ｎｍの光の出力値が５８％であり、波長５５０ｎｍの光の出力値に対する波長６４０ｎｍの光の出力値が４７％である。
【００５６】
（比較例Ｃ３）波長４４０〜４６５ｎｍの範囲における発光ピークの光の出力値を１００％とした場合に、波長５００ｎｍでの光の出力値が３８％、波長５５０ｎｍでの光の出力値が６２％である。波長４４０〜４６５ｎｍの範囲における発光ピークの光の出力値を１００％とした場合に、波長６００ｎｍでの光の出力値が５７％、波長６４０ｎｍでの光の出力値が５１％である。さらに、波長６００ｎｍの光の出力値に対する波長６４０ｎｍの光の出力値が９１％であり、波長５５０ｎｍの光の出力値に対する波長６４０ｎｍの光の出力値が８３％である。
【００５７】
ここで、前記条件Ｃ１は他の比較例Ｃ２，Ｃ３と比較して肌色の好ましさ指数ＰＳ値も９４と高く、肌見えの好ましさを良好とすることができる。また、上記の条件Ｃ１及び比較例Ｃ２，Ｃ３を勘案すると、４５００〜５５００Ｋの色温度の光を出力する場合、以下の条件であることが好ましいと想定される。
【００５８】
照光部１１は、波長４４０〜４６５ｎｍの範囲における発光ピークの光の出力値を１００％とした場合に、波長５００ｎｍでの光の出力値が３５〜５５％の範囲、波長５５０ｎｍでの光の出力値が４５〜８０％の範囲とする。さらに、照光部１１は、波長４４０〜４６５ｎｍの範囲における発光ピークの光の出力値を１００％とした場合に、波長６００ｎｍでの光の出力値が４５〜７５％の範囲、波長６４０ｎｍでの光の出力値が５０〜８０％の範囲とする。照光部１１は、波長６００ｎｍの光の出力値に対する波長６４０ｎｍの光の出力値が１００〜１２０％の範囲であり、波長５５０ｎｍの光の出力値に対する波長６４０ｎｍの光の出力値が８５〜１３０％の範囲とする。
【００５９】
次に、照光部１１において３５００〜４５００Ｋの色温度の光を照射する場合、その中央値の４０００Ｋの光で検討する。なお、この検討内容には上記実施形態も含まれる。検討に関する条件又は比較例については図９にも示すように、次の通りである。
【００６０】
（条件Ｄ１）波長４４０〜４６５ｎｍの範囲における発光ピークの光の出力値を１００％とした場合に、波長５００ｎｍでの光の出力値が６１％、波長５５０ｎｍでの光の出力値が９７％である。波長４４０〜４６５ｎｍの範囲における発光ピークの光の出力値を１００％とした場合に、波長６００ｎｍでの光の出力値が１０４％、波長６４０ｎｍでの光の出力値が１０４％である。さらに、波長６００ｎｍの光の出力値に対する波長６４０ｎｍの光の出力値が１００％であり、波長５５０ｎｍの光の出力値に対する波長６４０ｎｍの光の出力値が１０８％である。なお、この分光分布図を図６に示す。
【００６１】
（比較例Ｄ２）波長４４０〜４６５ｎｍの範囲における発光ピークの光の出力値を１００％とした場合に、波長５００ｎｍでの光の出力値が４８％、波長５５０ｎｍでの光の出力値が８６％である。波長４４０〜４６５ｎｍの範囲における発光ピークの光の出力値を１００％とした場合に、波長６００ｎｍでの光の出力値が９８％、波長６４０ｎｍでの光の出力値が７０％である。さらに、波長６００ｎｍの光の出力値に対する波長６４０ｎｍの光の出力値が７１％であり、波長５５０ｎｍの光の出力値に対する波長６４０ｎｍの光の出力値が８１％である。
【００６２】
ここで、前記条件Ｄ１は他の比較例Ｄ２と比較して肌色の好ましさ指数ＰＳ値も９５と高く、肌見えの好ましさを良好とすることができる。また、上記の条件Ｄ１及び比較例Ｄ２を勘案すると、３５００〜４５００Ｋの色温度の光を出力する場合、以下の条件であることが好ましいと想定される。
【００６３】
照光部１１は、波長４４０〜４６５ｎｍの範囲における発光ピークの光の出力値を１００％とした場合に、波長５００ｎｍでの光の出力値が４５〜７０％の範囲、波長５５０ｎｍでの光の出力値が６０〜１０５％の範囲とする。さらに、照光部１１は、波長４４０〜４６５ｎｍの範囲における発光ピークの光の出力値を１００％とした場合に、波長６００ｎｍでの光の出力値が７０〜１２０％の範囲、波長６４０ｎｍでの光の出力値が７５〜１２５％の範囲とする。照光部１１は、波長６００ｎｍの光の出力値に対する波長６４０ｎｍの光の出力値が８５〜１１０％の範囲であり、波長５５０ｎｍの光の出力値に対する波長６４０ｎｍの光の出力値が９５〜１３５％の範囲とする。
【００６４】
次に、照光部１１において３０００〜４０００Ｋの色温度の光を照射する場合、その中央値の３５００Ｋの光で検討する。検討に関する条件又は比較例については図９にも示すように、次の通りである。
【００６５】
（条件Ｅ１）波長４４０〜４６５ｎｍの範囲における発光ピークの光の出力値を１００％とした場合に、波長５００ｎｍでの光の出力値が５５％、波長５５０ｎｍでの光の出力値が９９％である。波長４４０〜４６５ｎｍの範囲における発光ピークの光の出力値を１００％とした場合に、波長６００ｎｍでの光の出力値が１１７％、波長６４０ｎｍでの光の出力値が１２２％である。さらに、波長６００ｎｍの光の出力値に対する波長６４０ｎｍの光の出力値が１０４％であり、波長５５０ｎｍの光の出力値に対する波長６４０ｎｍの光の出力値が１２３％である。なお、この分光分布図を図７に示す。
【００６６】
（比較例Ｅ２）波長４４０〜４６５ｎｍの範囲における発光ピークの光の出力値を１００％とした場合に、波長５００ｎｍでの光の出力値が５％、波長５５０ｎｍでの光の出力値が１１８％である。波長４４０〜４６５ｎｍの範囲における発光ピークの光の出力値を１００％とした場合に、波長６００ｎｍでの光の出力値が１０９％、波長６４０ｎｍでの光の出力値が６８％である。さらに、波長６００ｎｍの光の出力値に対する波長６４０ｎｍの光の出力値が６２％であり、波長５５０ｎｍの光の出力値に対する波長６４０ｎｍの光の出力値が５７％である。
【００６７】
ここで、前記条件Ｅ１は他の比較例Ｅ２と比較して肌色の好ましさ指数ＰＳ値も波長４４０〜４６５ｎｍの範囲における発光ピークの光の出力値を１００％とした場合に９７と高く、肌見えの好ましさを良好とすることができる。また、上記の条件Ｅ１及び比較例Ｅ２，Ｅ３を勘案すると、３０００〜４０００Ｋの色温度の光を出力する場合、以下の条件であることが好ましいと想定される。
【００６８】
照光部１１は、波長４４０〜４６５ｎｍの範囲における発光ピークの光の出力値を１００％とした場合に、波長５００ｎｍでの光の出力値が４０〜６５％の範囲、波長５５０ｎｍでの光の出力値が６０〜１２５％の範囲とする。さらに、照光部１１は、波長４４０〜４６５ｎｍの範囲における発光ピークの光の出力値を１００％とした場合に、波長６００ｎｍでの光の出力値が８０〜１４５％の範囲、波長６４０ｎｍでの光の出力値が８５〜１５５％の範囲とする。照光部１１は、波長６００ｎｍの光の出力値に対する波長６４０ｎｍの光の出力値が１００〜１２０％の範囲であり、波長５５０ｎｍの光の出力値に対する波長６４０ｎｍの光の出力値が１１０〜１６０％の範囲とする。
【００６９】
次に、照光部１１において３０００〜４０００Ｋの色温度の光を照射する場合、その中央値の３５００Ｋの光で検討する。検討に関する条件又は比較例については図９にも示すように、次の通りである。
【００７０】
（条件Ｆ１）波長４４０〜４６５ｎｍの範囲における発光ピークの光の出力値を１００％とした場合に、波長５００ｎｍでの光の出力値が６８％、波長５５０ｎｍでの光の出力値が１３６％である。波長４４０〜４６５ｎｍの範囲における発光ピークの光の出力値を１００％とした場合に、波長６００ｎｍでの光の出力値が１７７％、波長６４０ｎｍでの光の出力値が１９８％である。さらに、波長６００ｎｍの光の出力値に対する波長６４０ｎｍの光の出力値が１１１％であり、波長５５０ｎｍの光の出力値に対する波長６４０ｎｍの光の出力値が１４６％である。なお、この分光分布図を図８に示す。
【００７１】
（比較例Ｆ２）波長４４０〜４６５ｎｍの範囲における発光ピークの光の出力値を１００％とした場合に、波長５００ｎｍでの光の出力値が９％、波長５５０ｎｍでの光の出力値が１２２％である。波長４４０〜４６５ｎｍの範囲における発光ピークの光の出力値を１００％とした場合に、波長６００ｎｍでの光の出力値が１７０％、波長６４０ｎｍでの光の出力値が８１％である。さらに、波長６００ｎｍの光の出力値に対する波長６４０ｎｍの光の出力値が４８％であり、波長５５０ｎｍの光の出力値に対する波長６４０ｎｍの光の出力値が６６％である。
【００７２】
ここで、前記条件Ｆ１は他の比較例Ｆ２と比較して肌色の好ましさ指数ＰＳ値も９５と高く、肌見えの好ましさを良好とすることができる。また、上記の条件Ｆ１及び比較例Ｆ２，Ｆ３を勘案すると、２５００〜３５００Ｋの色温度の光を出力する場合、以下の条件であることが好ましいと想定される。
【００７３】
照光部１１は、波長４４０〜４６５ｎｍの範囲における発光ピークの光の出力値を１００％とした場合に、波長５００ｎｍでの光の出力値が４５〜８０％の範囲、波長５５０ｎｍでの光の出力値が８０〜１６０％の範囲とする。さらに、照光部１１は、波長４４０〜４６５ｎｍの範囲における発光ピークの光の出力値を１００％とした場合に、波長６００ｎｍでの光の出力値が１１５〜２２０％の範囲、波長６４０ｎｍでの光の出力値が１３０〜２５０％の範囲とする。照光部１１は、波長６００ｎｍの光の出力値に対する波長６４０ｎｍの光の出力値が１００〜１２５％の範囲であり、波長５５０ｎｍの光の出力値に対する波長６４０ｎｍの光の出力値が１３５〜１８５％の範囲とする。
【００７４】
・上記実施形態では、ＬＥＤ素子２１は半値幅が３０ｎｍで波長４５５ｎｍにピークを有する構成としたが、これに限らない。ＬＥＤ素子２１を半値幅２０〜４０ｎｍの範囲で、波長４４０〜４６５ｎｍの範囲にピークを有する構成であればよく、４４５〜４６０ｎｍの範囲にピークを有する構成とすることが好ましい。
【００７５】
・上記実施形態では、緑色光を放射する蛍光体２２は、半値幅が１３０ｎｍであり、波長５５０ｎｍにピークを有する構成としたが、これに限らない。蛍光体２２を半値幅１１０〜１５０ｎｍの範囲で、波長５４５〜５５５ｎｍの範囲にピークを有する構成であればよく、半値幅１２０〜１４０ｎｍの範囲で５４７〜５５３ｎｍ範囲にピークを有する構成とすることが好ましい。
【００７６】
・上記実施形態では、赤色光を放射する蛍光体２３は、半値幅が９５ｎｍであり、波長６４０ｎｍにピークを有する構成としたが、これに限らない。蛍光体２３を半値幅８０〜１１０ｎｍの範囲で波長６３０〜６５０ｎｍにピークを有する構成であればよく、半値幅８０〜１１０ｎｍの範囲で波長６３５〜６４５ｎｍにピークを有する構成とすることが好ましい。
【００７７】
・上記実施形態では、緑色光を放射する蛍光体２２として、セリウム付活カルシウムスカンデートを採用したが、これに限らない。例えば、ユーロピウム付活シリケート系蛍光体、セリウム付活シリケート系蛍光体、セリウム付活アルミネート系蛍光体、セリウム付活スカンデート系蛍光体、ユーロピウム付活酸窒化物蛍光体、ユーロピウム付活チオガレート系蛍光体であってもよい。
【００７８】
・上記実施形態では、赤色光を放射する蛍光体２３として、ユーロピウム付活カルシウムアルミニウムシリコンナイトライドと、ユーロピウム付活ストロンチウムカルシウムアルミニウムシリコンナイトライドの混合物を採用したが、これに限らない。例えば、ユーロピウム付活窒化物系蛍光体、ユーロピウム付活酸窒化物系蛍光体、ユーロピウム付活硫化物系蛍光体、ユーロピウム付活シリケート系蛍光体であってもよい。
【００７９】
・上記実施形態では波長４５５ｎｍにピークを有する光の出力値を１００％とした際に、波長４９０ｎｍの光の出力値が５１％、波長５３０ｎｍの光の出力値が６８％、波長６３０ｎｍの光の出力値が８６％となるように照光部１１を構成したが、これに限らない。波長４４０〜４６５ｎｍの範囲での光の出力値を１００％とした場合に、波長４９０ｎｍの光の出力値が４５〜５７％の範囲、波長５３０ｎｍの光の出力値が５８〜７８％の範囲、波長６３０ｎｍの光の出力値が７５〜１００％の範囲となるように照光部１１を構成してもよい。さらに、照光部１１は波長５３０ｎｍの光の出力値に対する波長６３０ｎｍの光の出力値が７２〜８７％の範囲となるように構成してもよい。
【００８０】
・上記実施形態では、発光素子としてＬＥＤ素子２１を用いる構成としたが、これに限らず有機ＥＬ（Electro-Luminescence）等のその他の発光素子を用いる構成を採用してもよい。
【００８１】
次に、上記実施形態及び別例から把握できる技術的思想を以下に追記する。
（イ）  請求項２に記載の照明装置において、
前記照光部は、
半値幅が２０〜４０ｎｍの範囲であり、且つ、波長が４４０〜４６５ｎｍの範囲にピーク波長を有する青色光と、半値幅が１１０〜１５０ｎｍの範囲であり、且つ、波長が５４５〜５５５ｎｍの範囲にピーク波長を有する緑色光と、半値幅が８０〜１１０ｎｍの範囲であり、且つ、波長が６３０〜６５０ｎｍの範囲にピーク波長を有する赤色光との組み合わせた光を照射するものであり、
波長４４０〜４６５ｎｍの範囲での光の出力値を１００％とした場合に、波長４９０ｎｍでの光の出力値が４５〜５７％の範囲、波長５３０ｎｍでの光の出力値が５８〜７８％の範囲、波長６３０ｎｍでの光の出力値が７５〜１００％の範囲であり、波長５３０ｎｍの光の出力値に対する波長６３０ｎｍの光の出力値が７２〜８７％であることを特徴とする照明装置。
【００８２】
（ロ）  前記（イ）に記載の照明装置において、
前記発光素子は、半値幅が２０〜４０ｎｍの範囲であり、波長が４４０〜４６５ｎｍの範囲にピーク波長を有する青色光を放射するＬＥＤ素子であり、
前記蛍光体は、半値幅が１１０〜１５０ｎｍの範囲であり、且つ、波長が５４５〜５５５ｎｍの範囲にピーク波長を有する緑色光を放射する蛍光体と、半値幅が８０〜１１０ｎｍの範囲であり、且つ、波長が６３０〜６５０ｎｍの範囲にピーク波長を有する赤色光を放射する蛍光体とで構成されることを特徴とする照明装置。
【００８３】
（ハ）  前記（イ）又は（ロ）に記載の照明装置において、
前記緑色光を放射する蛍光体は、セリウム付活カルシウムスカンデートで構成されることを特徴とする照明装置。
【００８４】
（ニ）  前記（イ）〜（ハ）のいずれか一項に記載の照明装置において、
前記赤色光を放射する蛍光体は、ユーロピウム付活カルシウムアルミニウムシリコンナイトライド及びユーロピウム付活ストロンチウムカルシウムアルミニウムシリコンナイトライドの少なくとも一方で構成されることを特徴とする照明装置。
【００８５】
（ホ）  前記（イ）〜（ニ）のいずれか一項に記載の照明装置において、
前記緑色光を放射する蛍光体の重量を１００％とした場合に、前記赤色光を放射する蛍光体の重量が２０〜２７％の範囲となるように構成されることを特徴とする照明装置。
【符号の説明】
【００８６】
１０…照明装置、１１…照光部、２１…ＬＥＤ素子、２２，２３…蛍光体。
【図１】
2013058473.tif 000003
【図２】
2013058473.tif 000004
【図３】
2013058473.tif 000005
【図４】
2013058473.tif 000006
【図５】
2013058473.tif 000007
【図６】
2013058473.tif 000008
【図７】
2013058473.tif 000009
【図８】
2013058473.tif 000010
【図９】
2013058473.tif 000011